(57)【要約】【課題】見当装置における調節ネジに対する調節操作を容易に行い得るようにし、枚葉紙の位置決め位置設定作業の効率化を図ることができるようにする。【解決手段】フィーダーボード１２０の下流端と印刷機本体１１０の上流端との間に枚葉紙Ｐの位置決め位置を上流側から調節する操作部材を備えた見当装置６０が介設され、フィーダーボード１２０の下流端の上方位置には、枚葉紙Ｐの供給状態が異常なときに当該枚葉紙Ｐの印刷機本体１１０への送り込みを阻止するストッパー３０と、該ストッパー３０を支持するようにフィーダーボード１２０の全幅に亘って架設されたステー２１とが設けられ、ステー２１は、ストッパー３０が枚葉紙Ｐの送り込みを許容する定常位置（上方位置）と、操作部材を操作するための空間を確保し得る空間確保位置（下方位置）との間で位置変更可能に構成されている。【選択図】　図１
2004106455.tif 000002
【特許請求の範囲】
【請求項１】
給紙装置から供給される枚葉紙をフィーダーボードを介して位置決め後に印刷機本体に順次送り込むように構成されてなる印刷機の紙搬送停止機構であって、前記フィーダーボードの下流端と印刷機本体の上流端との間に枚葉紙の位置決め位置を上流側から調節する操作部材を備えた見当装置が介設され、フィーダーボードの下流端の上方位置には、枚葉紙の供給状態が異常なときに当該枚葉紙の印刷機本体への送り込みを阻止するストッパーと、該ストッパーを支持するようにフィーダーボードの全幅に亘って架設されたステーとが設けられ、前記ステーは、印刷機の連続駆動状態で位置する定常位置と、前記操作部材を操作するための空間を確保し得る空間確保位置との間で位置変更可能に構成されてなることを特徴とする印刷機の紙搬送停止機構。
【請求項２】
前記ストッパーは、前記ステーが定常位置に位置設定された状態で枚葉紙の前記送り込みを阻止し得る縦向き姿勢に姿勢設定される一方、前記ステーが空間確保位置に位置設定された状態で横向き姿勢に姿勢設定されるように構成され、ストッパーが横向き姿勢に姿勢設定されることにより給紙装置および印刷機本体が連続駆動し得なくなるように構成されてなる請求項１記載の印刷機の紙搬送停止機構。
【請求項３】
前記フィーダーボードには、枚葉紙が所定のタイミングで通過したことを検出する紙通過センサーが設けられ、該紙通過センサーは、前記ストッパーが横向き姿勢に姿勢設定された状態の検出に共用されてなる請求項１または２記載の印刷機の紙搬送停止機構。
【発明の詳細な説明】
【０００１】
【発明の属する技術分野】
本発明は、枚葉紙の印刷用として使用される印刷機の紙搬送停止機構に関するものである。
【０００２】
【従来の技術】
従来、図６に示すような印刷機１００が知られている。この印刷機１００は、枚葉紙Ｐを１枚ずつ供給する給紙装置１０１と、この給紙装置１０１からの枚葉紙Ｐに印刷処理を施す印刷機本体１１０と、給紙装置１０１および印刷機本体１１０間に介設され給紙装置１０１からの枚葉紙Ｐを印刷機本体１１０に受け渡すフィーダーボード１２０とを備えた基本構成を有している。
【０００３】
給紙装置１０１は、枚葉紙Ｐが積層されることによって形成した用紙Ｐ１を保持する給紙テーブル１０２を有している。そして、用紙Ｐ１の最上位に位置した枚葉紙Ｐは、空気噴射ノズル１０４からの噴出流が用紙Ｐ１に吹き付けられることによりさばかれた状態でその上方位置後方（図６の右方）に設けられたバキューム口１０３へ吸引される吸気流に誘引されつつフィーダーボード１２０へ向けて送り込まれ、その後、フィーダーボード１２０を介して印刷機本体１１０へ供給されるようになっている。
【０００４】
給紙テーブル１０２は、枚葉紙Ｐが印刷機本体１１０に向けて供給される毎に保持した用紙Ｐ１を僅かずつ上昇させるように構成され、給紙テーブル１０２に保持された用紙Ｐ１の最上位の枚葉紙Ｐは常にフィーダーボード１２０の高さ位置に対応するようになされている。
【０００５】
印刷機本体１１０は、インキ供給用等の多数のローラからなるローラ群１１１と、このローラ群１１１の下部に設けられた周面に版を有する版胴１１２と、この版胴１１２の版のインキ画像が周面に転写されるゴム胴１１３と、このゴム胴１１３の周面に枚葉紙Ｐを介して周面が当接される圧胴１１４と、フィーダーボード１２０の下流端から供給された枚葉紙Ｐを圧胴１１４に導く給紙胴１１５とが下方に向けて連設されることによって構成されている。フィーダーボード１２０から供給された枚葉紙Ｐは、給紙胴１１５を介して圧胴１１４に供給され、当該圧胴１１４とゴム胴１１３との間を通過することで印刷処理されるようになっている。
【０００６】
フィーダーボード１２０は、給紙装置１０１と印刷機本体１１０との間に架設されたテーブル１２１と、所定のローラ１２２間に張設されることによってテーブル１２１の上面を摺動するように周回するゴムベルト１２３とを備え、給紙装置１０１から送り出された枚葉紙Ｐは、周回しているゴムベルト１２３に誘導されつつ給紙胴１１５へ向けて供給されることになる。
【０００７】
このような印刷機１００において、フィーダーボード１２０の下流端（図６の左端）と前記給紙胴１１５との間には見当装置１３０が介設されている。この見当装置１３０は、給紙胴１１５に送り込まれる直前の枚葉紙Ｐの位置決めを行うためのものであり、枚葉紙Ｐはここで空気吸引による吸着処理を利用して所定の位置決め片に当接するように移動され、かかる位置決め処理が完了した後に給紙胴１１５に向けて送り出されるようになっている。
【０００８】
また、見当装置１３０の直上流側におけるフィーダーボード１２０の上方位置にストッパー１４０が設けられ、フィーダーボード１２０に例えば正規のタイミングではないにも拘らずに枚葉紙Ｐが存在するような異常発生時に、当該異常を検出するセンサー１５０からの検出信号に基いて当該ストッパー１４０の一部が下降し枚葉紙Ｐをテーブル１２１の上面との間で押圧挟持することによって枚葉紙Ｐが印刷機本体１１０に供給されるのを阻止するようになされている。こうすることにより枚葉紙Ｐが異常な状態で印刷機本体１１０に供給されることが防止されるようになされている。
【０００９】
前記ストッパー１４０は、テーブル１２１の両側部の上方位置に設けられた幅方向一対のフレーム間に架設された、図６の紙面に直交する方向に延びるステー１４１に取り付けられている。
【００１０】
【特許文献１】
特開平１−１２７５３６号公報
【特許文献２】
特開平６−１９１０１８号公報
【特許文献３】
特許第２８３１５９１号公報
【００１１】
【発明が解決しようとする課題】
ところで、上記のような従来の印刷機１００にあっては、見当装置１３０に枚葉紙Ｐの前端縁を当止させる前当て１３１、枚葉紙Ｐの側縁を当止させる側縁当て１３２およびこれら前当て１３１および側縁当て１３２に当てられる枚葉紙Ｐのばたつきを防止して安定させるためのブロック１３３が設けられているとともに、側縁当て１３２の位置設定や、枚葉紙Ｐの厚みに応じてブロック１３３の上下位置を設定するための所定個数の調節ネジ１３４が設けられている。
【００１２】
また、これら調節ネジ１３４の上方位置であって版胴１１２およびゴム胴１１３の直後方位置には、印刷機本体１１０の運転に係る各種の機器１１６が設けられ、かかる機器１１６を保護するために当該機器１１６の下面部および後面部を覆うようにカバー体１１７（下部カバー体１１７ａおよび後部カバー体１１７ｂ）が設けられている。
【００１３】
このようなことから前記調節ネジ１３４は、印刷機本体１１０の上流側から見て下部カバー体１１７ａ、ステー１４１、ストッパー１４０および印刷機本体１１０の幅方向一対の側壁１１８（図６では紙面の手前側の側壁１１８は図示を省略している）によって取り囲まれた調節ネジ配設空間Ｖに収まっている。
【００１４】
したがって、調節ネジ１３４を操作しようとすれば、ステー１４１が邪魔になるため、上方位置から調節ネジ配設空間Ｖ内に手を差し入れることができず、結局、ステー１４１の下部であって印刷機本体１１０の側壁１１８とストッパー１４０との間の狭隘な隙間から調節ネジ配設空間Ｖ内に手を差し入れ不自由な状態で調節ネジ１３４を操作せざるを得ず、調節ネジ１３４を迅速に操作することができないことから、これがネックとなって効率的な調節作業を行い得ないという問題点を有していた。
【００１５】
本発明は、上記のような状況に鑑みなされたものであり、見当装置における調節ネジに対する調節操作を容易に行い得るようにし、これによって枚葉紙の位置決め位置設定作業の効率化を図ることができる印刷機の紙搬送停止機構を提供することを目的としている。
【００１６】
【課題を解決するための手段】
請求項１記載の発明は、給紙装置から供給される枚葉紙をフィーダーボードを介して位置決め後に印刷機本体に順次送り込むように構成されてなる印刷機の紙搬送停止機構であって、前記フィーダーボードの下流端と印刷機本体の上流端との間に枚葉紙の位置決め位置を上流側から調節する操作部材を備えた見当装置が介設され、フィーダーボードの下流端の上方位置には、枚葉紙の供給状態が異常なときに当該枚葉紙の印刷機本体への送り込みを阻止するストッパーと、該ストッパーを支持するようにフィーダーボードの全幅に亘って架設されたステーとが設けられ、前記ステーは、印刷機の連続駆動状態で位置する定常位置と、前記操作部材を操作するための空間を確保し得る空間確保位置との間で位置変更可能に構成されてなることを特徴とするものである。
【００１７】
この発明によれば、枚葉紙の位置決め位置を調節するために見当装置の調節操作部材を操作するに際し、定常位置に位置したステーを空間確保位置に位置させることによって、前記操作部材を操作するための空間が確保されるため、この空間から見当装置の操作部材に向けて容易に手を差し入れることが可能になり、これによって枚葉紙の位置決め位置の調節を迅速に行うことができ、延いては印刷作業の効率化に貢献することができる。
【００１８】
請求項２記載の発明は、請求項１記載の発明において、前記ストッパーは、前記ステーが定常位置に位置設定された状態で枚葉紙の前記送り込みを阻止し得る縦向き姿勢に姿勢設定される一方、前記ステーが空間確保位置に位置設定された状態でストッパーが枚葉紙の異常供給状態を阻止し得ない横向き姿勢に姿勢設定されるように構成され、ストッパーが横向き姿勢に姿勢設定されることにより給紙装置および印刷機本体が連続駆動し得なくなるように構成されてなることを特徴とするものである。
【００１９】
この発明によれば、印刷機が連続駆動しているときには、ステーが定常位置に位置設定されることによってストッパーが枚葉紙の送り込み阻止し得る縦向き姿勢に姿勢設定されるため、枚葉紙の給紙状態に異常が生じたときに、当該ストッパーの所定の動作で枚葉紙が停止させられ、所定の修復処理が完了するまで枚葉紙が印刷機本体へ向けて送り込まれるのを防止することができるという紙搬送停止機構本来の機能を果たすことができる。
【００２０】
これに対し、ステーが空間確保位置に位置設定されることにより、ストッパーは、給紙装置および印刷機本体が連続駆動をし得なくなる横向き姿勢に姿勢設定され、これによって給紙装置および印刷機本体の連続駆動が停止されるため、ストッパーが枚葉紙の異常供給状態を阻止し得ない状態のままで順次送られてくる枚葉紙に印刷処理が施されてしまうような不都合の発生を確実に防止することができる。
【００２１】
請求項３記載の発明は、請求項１または２記載の発明において、前記フィーダーボードには、枚葉紙が所定のタイミングで通過したことを検出する紙通過センサーが設けられ、該紙通過センサーは、前記ストッパーが横向き姿勢に姿勢設定された状態の検出に共用されてなることを特徴とするものである。
【００２２】
この発明によれば、ストッパーが横向き姿勢になったことを検出するために別途センサーを設ける必要がなくなり、その分部品コストの低減化に貢献することができる。
【００２３】
【発明の実施の形態】
図１および図２は、本発明に係る印刷機の紙搬送停止機構の一実施形態を示す斜視図であり、図１は、ステーが上方位置に位置した状態、図２は、ステーが下方位置に位置した状態をそれぞれ示している。また、図３および図４は、図１および図２に示す紙搬送停止機構の側面視の説明図であり、図３は図１に、図４は図２にそれぞれ対応している。なお、これらの図において、図６に示した部品と同一のものには一部を除いて同一の記号を付している。
【００２４】
これらの図に示すように、紙搬送停止機構１０は、図６に示すような印刷機１００において、ゴムベルト１２３によって供給された枚葉紙Ｐを、見当装置１３０を介して印刷機本体１１０の給紙胴１１５に送り込むに際し、枚葉紙Ｐが適正に搬送されているときは特に動作せずゴムベルト１２３による枚葉紙Ｐの搬送に任せる一方、枚葉紙Ｐの搬送に異常が生じたとき、それを検出して当該枚葉紙Ｐの搬送を阻止するように構成されたものであり、フィーダーボード１２０のテーブル１２１を挟むように設けられた幅方向一対の側壁（フレーム）１１８間に架設されるストッパー保持部材２０と、このストッパー保持部材２０に装着された異常発生時に枚葉紙Ｐの移動を阻止するためのストッパー３０と、同ストッパー保持部材２０に装着されるセンサーブラケット４０と、このセンサーブラケット４０に対応してテーブル１２１に装着された紙通過センサー５０とを備えて構成されている。
【００２５】
前記ストッパー保持部材２０は、幅方向（枚葉紙Ｐの搬送方向と直交する方向）に長尺のステー２１と、このステー２１の各端部から同心で外方へ向けて延設された幅方向一対の係止部材２２と、ステー２１にそれぞれ固定された一対の接続アーム２３と、前記ステー２１の適所に固定された所定個数（本実施形態では２つ）のブラケット２４とを備えている。
【００２６】
前記ステー２１は、本実施形態においては角材が採用され、長さ寸法がフィーダーボード１２０の幅寸法より若干短めに寸法設定されている。かかるステー２１の両端部に係止部材２２がそれぞれ接続されることによってステー２１と一対の係止部材２２との合計長さ寸法がフィーダーボード１２０の幅寸法と略等しくなるようになされている。
【００２７】
係止部材２２は、ステー２１を幅方向一対の側壁１１８に係止させるためのものであり、円柱状の係止部材本体２２ａと、この係止部材本体２２ａに同心で出没自在に内装された係止ピン２２ｂとを備えている。係止ピン２２ｂは、直交する方向に突設されたピン状の操作片２２ｃを有している一方、係止部材本体２２ａには当該操作片２２ｃを外部に突出させるたに形成された傾斜長孔２２ｄが設けられている。
【００２８】
この傾斜長孔２２ｄは、係止部材本体２２ａの周面から螺旋状にステー２１の方向へ向けて形成され、操作片２２ｃを一方向に操作することによって当該操作片２２ｃが傾斜長孔２２ｄに案内されつつ係止ピン２２ｂが軸心回りに回動しながら係止部材本体２２ａから外部に突出する一方、操作片２２ｃを他方向に操作することによって係止ピン２２ｂが係止部材本体２２ａ内に没入するようになっている。そして、係止ピン２２ｂは、図略の付勢手段の付勢力で常時は係止部材本体２２ａから外部に突出するようになっているため、係止ピン２２ｂが係止孔１１８ａに嵌入した状態は安定的に維持されることになる。
【００２９】
かかる係止部材本体２２ａは、その基端面から突設された係合突起２２ｅを有し、この係合突起２２ｅをステー２１の端面に凹設された係合孔に嵌合した状態でねじ止め等を行うことによりステー２１に固定されるようになっている。
【００３０】
前記接続アーム２３は、ストッパー保持部材２０を一対の側壁１１８に接続するためのものであり、側面視でＬ字状を呈している。かかる接続アーム２３は、正面視で逆Ｌ字状を呈した逆Ｌ字部２３ａと、この逆Ｌ字部２３ａの下側部から後方に向かって突設されたアーム本体２３ｂとからなっている。そして、各逆Ｌ字部２３ａの水平方向に延びる部分がねじ止め等でステー２１の各端部の全面側に取り付けられることにより、一対の接続アーム２３がストッパー保持部材２０に形成された状態になるようにしている。
【００３１】
このような各接続アーム２３は、各アーム本体２３ｂの図１における後端部に雄ねじの螺設された支持軸２５が貫通され、これらの支持軸２５が各側壁１１８に螺設された所定のねじ孔に螺着締結されることによって当該支持軸２５回りに回動可能に一対の側壁１１８に装着されている。
【００３２】
前記ブラケット２４は、ストッパー３０を保持するものであり、本実施形態では２つが採用されている。かかるブラケット２４は、平面視でコ字状を呈するブラケット本体２４ａと、このブラケット本体２４ａの中央部上縁から上方に向けて突設された接続片２４ｂとからなり、各接続片２４ｂがねじ止めその他でステー２１の図１における前面側に固定された状態でブラケット本体２４ａの先端が後方に向けて突出するように形状設定されている。そして、コ字状のブラケット本体２４ａにボルト止めその他でストッパー３０が保持されることになる。
【００３３】
このように構成されたストッパー保持部材２０は、支持軸２５回りに正逆回動させることにより、アーム本体２３ｂが前方に向けて水平に延びてステー２１が後部カバー体１１７ｂの下端縁部に近接した上方位置（定常位置）と、アーム本体２３ｂが支持軸２５から垂下してステー２１が下方に下がった下方位置（空間確保位置）との間で姿勢変化し得るようになっている。
【００３４】
一方、各側壁１１８には、ステー２１が上方位置に位置した状態で係止部材２２の係止ピン２２ｂと対応した部分に当該係止ピン２２ｂが嵌入され得る係止孔１１８ａが穿設されているとともに、ステー２１が下方位置に位置した状態で接続アーム２３の逆Ｌ字部２３ａが当止する一対の当止突起１１８ｂが互いに対向する方向に向けて突設されている。
【００３５】
したがって、ステー２１が上方位置に位置設定された状態において操作片２２ｃの操作で係止部材本体２２ａから係止ピン２２ｂを突出させることにより、各係止ピン２２ｂが対応した係止孔１１８ａにそれぞれ嵌入し、これによってステー２１の上方位置での位置設定状態が維持される一方、ステー２１が下方位置に位置設定された状態では、各係止部材本体２２ａがステー２１の重量によって対応した当止突起１１８ｂにそれぞれ押圧当止し、これによってステー２１の下方位置での位置設定状態が維持されるようになっている。
【００３６】
前記ストッパー３０は、若干長尺の直方体状を呈したシリンダ部３１と、このシリンダ部３１の一端面（図１における下端面）から同心で外方に向かって突設されたピストンロッド３２と、このピストンロッド３２の先端部に同心で固定された例えばゴム製の移動阻止円盤３３とからなっている。かかるストッパー３０は、シリンダ部３１の上端部が前記ブラケット２４のブラケット本体２４ａに挟持された状態でブラケット本体２４ａを介して連結ボルト２４ｃが貫通され、ナットで締結されることによりブラケット２４に固定されるようになっている。
【００３７】
また、シリンダ部３１には、シリンダ３１ａが内装されているとともに、このシリンダ３１ａにはピストンロッド３２に連結したピストン３２ａおよび当該ピストン３２ａを図１における上方へ向けて付勢する図略のコイルスプリングが内装され、所定の空気源からの圧搾空気が空気導入口３１ｂを介してシリンダ３１ａ内に供給されることにより、スプリングの付勢力に抗したピストン３２ａの移動で移動阻止円盤３３がピストンロッド３２を介して外方に向けて突出するようになっている。また、シリンダ３１ａ内への圧搾空気の供給が停止されると、スプリングの付勢力でピストン３２ａが元の位置に復帰し、これによって移動阻止円盤３３も元の位置に復帰するようになっている。
【００３８】
このようなストッパー３０は、ステー２１が上方位置に位置設定されることにより、図１および図３に示すように、ブラケット２４から垂下した縦向き姿勢に姿勢設定される一方、ステー２１が下方位置に位置設定された状態では、図２および図４に示すように、ブラケット２４から後方に向けて水平に延びる横向き姿勢に姿勢設定されるようになっているとともに、縦向き姿勢に姿勢設定された状態で移動阻止円盤３３の下面がテーブル１２１の上面からピストン３２ａのストロークより短い所定距離だけ離間するように構造設定されている。
【００３９】
したがって、ストッパー３０が縦向き姿勢に姿勢設定された状態で、枚葉紙Ｐがゴムベルト１２３の駆動でテーブル１２１上を移動しつつあるときに、当該ストッパー３０の駆動で移動阻止円盤３３が下降すれば、この移動阻止円盤３３が枚葉紙Ｐをテーブル１２１上へ抑え込んだり、あるいは枚葉紙Ｐの前端縁が移動阻止円盤３３に当止し、これによって枚葉紙Ｐの印刷機本体１１０への供給が阻止されることになる。
【００４０】
前記紙通過センサー５０は、ゴムベルト１２３の駆動でテーブル１２１上を送られてくる枚葉紙Ｐを検出するためのものであり、テーブル１２１の裏面側における移動阻止円盤３３と搬送方向で同一位置（すなわち移動阻止円盤３３の幅方向の隣側）に取り付けられている。テーブル１２１には、紙通過センサー５０の検出面を被検出物に対向させるために検出孔１２１ａが穿設されている。
【００４１】
そして、紙通過センサー５０は検出孔１２１ａを通して連続的に検出信号を得るようになされており、得られた検出信号は、図略の制御装置へ入力されるようになっている。制御装置では、予め記憶された所定のプログラムに基づいて被検出物ありの検出信号が予め設定された枚葉紙Ｐの供給タイミングに合致しているか否かが判別されるようになっている。
【００４２】
そして、検出物ありの検出信号が枚葉紙Ｐの供給タイミングに合致していないとき（すなわち枚葉紙Ｐの供給に異常が生じたとき）は、制御装置から図略の圧搾空気源に向けてストッパー３０のシリンダ３１ａに圧搾空気を送り込ませるための制御信号が出力され、これによるシリンダ３１ａ内への圧搾空気の供給によって移動阻止円盤３３が突出し、枚葉紙Ｐは、この突出した移動阻止円盤３３によってテーブル１２１上に押圧されることで印刷機本体１１０への供給が阻止されるようになっている。こうすることで、印刷機本体１１０がタイミングずれ等により不適正に送られてきた枚葉紙Ｐに印刷処理を施すような不都合の発生が確実に防止される。
【００４３】
前記センサーブラケット４０は、図２および図４に示すように、ステー２１が下方位置に位置設定された状態で検出孔１２１ａに対向させ、これによって紙通過センサー５０に当該センサーブラケット４０を検出させてステー２１が下方位置に位置した状態を検出するためのものである（すなわち、紙通過センサー５０は、枚葉紙Ｐの供給状態異常の検出と、ステー２１が下方位置に位置設定された状態の検出とで共用され得るようになされている。）。
【００４４】
かかるセンサーブラケット４０は、ステー２１の図１における後面側にねじ止めその他で固定される接続片４１と、この接続片４１の下端部から前方に向かって突設されたブラケット本体４２と、このブラケット本体４２の前端部に連結軸４２ａ回りに回動自在に軸支された被検出片４３とからなっている。被検出片４３には下端部が幅方向へ略直角に折り曲げられて形成した被検出小片４３ａが設けられている。
【００４５】
かかるセンサーブラケット４０は、図２および図４に示すように、ステー２１が下方位置に位置した状態で連結軸４２ａ回りに回動した被検出片４３がその被検出小片４３ａを前記検出孔１２１ａに対向するように形状設定および寸法設定されている。したがって、枚葉紙Ｐが送り込まれない状態でステー２１が下方位置に位置設定されることにより、紙通過センサー５０は、枚葉紙Ｐに代えて被検出小片４３ａを検出することになる。
【００４６】
そして、ステー２１が下方位置に位置設定され、これによって横向き姿勢に姿勢変更されたストッパー３０が本来の機能を果たし得なくなった状態において、紙通過センサー５０が被検出小片４３ａを検出すると、制御装置はこの検出信号に基いて給紙装置１０１および印刷機本体１１０の連続運転を行い得ないように所定の制御信号を給紙装置１０１および印刷機本体１１０に向けて出力するようになされている。したがって、ストッパー３０が横向き姿勢に姿勢設定された状態では、たとえオペレータが誤って給紙装置１０１および印刷機本体１１０を連続運転させるためのスイッチを入れたとしても、給紙装置１０１から枚葉紙Ｐが連続的に供給されるような不都合が生じないようになっている。
【００４７】
つぎに、テーブル１２１の直下流側に設けられる見当装置６０について図５を基に、必要に応じて図１〜図４を参照しながら簡単に説明する。図５は、見当装置６０の一実施形態を示す上流側から見た正面図である。
【００４８】
図５に示すように、見当装置６０は、印刷機本体１１０へ枚葉紙Ｐを送り込む前に当該枚葉紙Ｐの位置を正確に設定するためのものであり、一対の側壁１１８間に軸心回りに回転可能に架設され図略の駆動モータの駆動で回転する回転軸６１と、この回転軸６１の両側部にそれぞれ外嵌された幅方向一対の基端ブロック６２と、各基端ブロック６２に隣設してその内側位置で回転軸６１に一体回転可能に外嵌される筒体６３と、この筒体６３および前記基端ブロック６２に亘ってこれらの上方に配設されるケーシングブロック６４と、このケーシングブロック６４の内部で幅方向に往復動可能に設けられる可動ブロック６５と、この可動ブロック６５の上方位置でケーシングブロック６４の上部側面（紙当て面６４ａ）に当接される紙受入れブロック６６と、これら各ブロックの調節された位置決め位置を締結するための複数の調節ネジ６７とを備えて構成されている。
【００４９】
前記筒体６３には、その周面に斜めで環状に形成された傾斜溝６３ａが凹設されている一方、前期可動ブロック６５には傾斜溝６３ａに摺接状態で嵌挿されるカム６５ａが設けられ、回転軸６１を回転駆動することによりカム６５ａが傾斜溝６３ａに案内されて幅方向に往復動し、これによって可動ブロック６５が幅方向に往復動するようになっている。
【００５０】
かかる可動ブロック６５の上面には、複数の空気吸引孔６５ｂが設けられ、この空気吸引孔６５ｂの上面位置に到達した枚葉紙Ｐは、吸引されて可動ブロック６５の上面に密着し、幅方向の外方に向かう当該可動ブロック６５の移動に同伴して外方に向かい、その側縁がケーシングブロック６４の紙当て面６４ａに当止することにより側方位置が位置決めされるようになっている。
【００５１】
そして、印刷状況に応じて前記各調節ネジ６７の弛緩により各ブロックの位置決めを行って紙当て面６４ａの位置設定を行うとともに、位置決め完了後に調節ネジ６７を締結することによって状況に応じた紙当て面６４ａの位置設定が行われることになる。
【００５２】
そして、本発明の紙搬送停止機構１０は、上記のような調節ネジ６７に対する操作性を改善するものである。以下、本発明の作用について適宜図１〜図５を参照しながら説明する。まず、ステー２１が上方位置に位置設定されることによりストッパー３０が縦向き姿勢に姿勢設定された状態では、図１および図３に示すように、ステー２１がフィーダーボード１２０の直前方の上方位置で枚葉紙Ｐの搬送路を幅方向に横断し、これによってステー２１と後部カバー体１１７ｂとの間には僅かな隙間しか存在しない状態になっているため、この隙間から調節ネジ配設空間Ｖ内に手を差し入れることができず、したがって、従来は、ストッパー３０とステー２１と側壁１１８とに囲まれた狭隘な隙間から調節ネジ配設空間Ｖ内に手を差し入れて見当装置６０の調節ネジ６７を操作せざるを得なかったのである。
【００５３】
これに対し、本願発明の紙搬送停止機構１０においては、調節ネジ６７の操作に際しては、当該操作に先立って、まずステー２１の端部に設けられた係止部材本体２２ａの操作片２２ｃを操作し係止ピン２２ｂを係止部材本体２２ａ内に没入させることによってストッパー保持部材２０の側壁１１８に対する係止を解除する。
【００５４】
引き続き、ストッパー保持部材２０を支持軸２５回りに反時計方向に向けて回動操作すると、ステー２１は、図２および図４に示すように、下方位置に位置変更されるとともに、ストッパー３０は横向き姿勢に姿勢変更される。そしてこの状態においては、ステー２１と後部カバー体１１７ｂの下縁部との間の隙間寸法は広くなっており、この広い隙間から調節ネジ配設空間Ｖに容易に手を差し入れることができるため、従来に比べて調節ネジ６７に対する操作性が格段に向上し、これによって調節ネジ６７の操作による紙当て面６４ａの位置設定操作を迅速に行うことができるようになる。
【００５５】
以上詳述したように、本発明にかかる紙搬送停止機構１０は、給紙装置から供給される枚葉紙をフィーダーボードを介して位置決め後に印刷機本体に順次送り込むように構成されてなる印刷機を対象とするものであり、フィーダーボード１２０の全幅に亘って架設されたストッパー３０を支持するためのステー２１は、ストッパー３０が枚葉紙Ｐの送り込みを許容する上方位置と、見当装置６０の調節ネジ６７を操作するために充分な隙間を確保し得る下方位置との間で位置変更可能に構成されているため、普段の通常操業時には、ステー２１が上方位置に位置した状態でストッパー３０が枚葉紙Ｐの送り込みを許容するようになっている一方、枚葉紙Ｐの給紙状態に異常が生じたときに、当該ストッパー３０の移動阻止円盤３３の下降動作で枚葉紙Ｐが停止させられ、所定の修復処理が完了するまで枚葉紙Ｐが印刷機本体へ向けて送り込まれるのを防止することができるという紙搬送停止機構１０本来の機能を果たすことができる。
【００５６】
一方、枚葉紙Ｐの位置決め位置を調節するために見当装置６０の調節ネジ６７を操作するに際しては、上方位置に位置したステー２１を支持軸２５回りに回動させて下方位置に位置させればよい。こうすることによって、前記調節ネジ６７を操作するための広い隙間が確保されるため、この隙間から見当装置６０の調節ネジ６７に向けて容易に手を差し入れることが可能になり、これによって枚葉紙Ｐの位置決め位置の調節を迅速に行うことができ、延いては印刷作業の効率化に貢献することができる。
【００５７】
また、ストッパー３０が横向き姿勢に姿勢設定されることにより給紙装置１０１および印刷機本体が連続駆動し得なくなるように構成されているため、ストッパー３０が横向き姿勢に姿勢設定された状態で給紙装置１０１および印刷機本体１１０の連続駆動が停止されるため、ストッパー３０が枚葉紙Ｐの異常供給状態を阻止し得ない状態のままで順次送られてくる枚葉紙Ｐに印刷処理が施されてしまうような不都合の発生を確実に防止することができる。
【００５８】
さらに、フィーダーボード１２０に設けられた、枚葉紙Ｐが所定のタイミングで通過したことを検出する紙通過センサー５０は、ストッパー３０が横向き姿勢に姿勢設定された状態の検出に共用されているため、ストッパー３０が横向き姿勢になったことを検出するために別途センサーを設ける必要がなくなり、その分部品コストの低減化に貢献することができる。
【００５９】
本発明は、上記の実施形態に限定されるものではなく、以下の内容をも包含するものである。
【００６０】
（１）上記の実施形態においては、本発明に係るステー２１の定常位置が上方位置であり、同空間確保位置が下方位置になっているが、本発明は、ステー２１の定常位置が上方位置であり、同空間確保位置が下方位置であることに限定されるものではなく、印刷機のタイプや状況に応じて変化してもよい。
【００６１】
（２）上記の実施形態においては、ストッパー３０は、空気圧によって移動阻止円盤３３を突出させることで異常発生時の枚葉紙Ｐの印刷機本体１１０へ向かう移動を阻止するように構成されているが、本発明は、かかるストッパー３０によって枚葉紙Ｐの移動を阻止することに限定されるものではなく、例えば機械的なリンク構造で枚葉紙Ｐを押えて移動を阻止するなど、各種の方式を採用してもよい。
【００６２】
【発明の効果】
本発明の印刷機の紙搬送停止機構によれば、枚葉紙の供給状態が異常なときに当該枚葉紙の印刷機本体への送り込みを阻止するストッパーを支持するようにフィーダーボードの全幅に亘って架設されたステーとが設けられ、このステーは、ストッパーが枚葉紙の送り込みを許容する定常位置と、前記操作部材を操作するための空間を確保し得る空間確保位置との間で位置変更可能に構成されているため、枚葉紙の位置決め位置を調節するために見当装置の調節操作部材を操作するに際し、定常位置に位置したステーを空間確保位置に位置させることによって、前記操作部材を操作するための空間が確保されるため、この空間から見当装置の操作部材に向けて容易に手を差し入れることが可能になり、これによって枚葉紙の位置決め位置の調節を容易かつ迅速に行うことができ、延いては印刷作業の効率化に貢献することができる。
【００６３】
一方、枚葉紙の位置決め位置を調節するために見当装置の調節操作部材を操作するに際しては、定常位置に位置したステーを空間確保位置に位置させればよい。こうすることによって、前記操作部材を操作するための空間が確保されるため、この空間から見当装置の操作部材に向けて容易に手を差し入れることが可能になり、これによって枚葉紙の位置決め位置の調節を迅速に行うことができ、延いては印刷作業の効率化に貢献することができる。
【図面の簡単な説明】
【図１】本発明に係る印刷機の紙搬送停止機構の一実施形態を示す斜視図であり、ステーが上方位置に位置した状態示している。
【図２】本発明に係る印刷機の紙搬送停止機構の一実施形態を示す斜視図であり、ステーが下方位置に位置した状態を示している。
【図３】図１に示す紙搬送停止機構の側面視の説明図である。
【図４】図２に示す紙搬送停止機構の側面視の説明図である。
【図５】見当装置６０の一実施形態を示す上流側から見た正面図である。
【図６】従来の紙搬送停止機構を説明するための説明図である。
【符号の説明】
１０　紙搬送停止機構　　　　２０　ストッパー保持部材
２１　ステー　　　　　　　　２２　係止部材
２２ａ　係止部材本体　　　　２２ｂ　係止ピン
２２ｃ　操作片　　　　　　　２２ｄ　傾斜長孔
２２ｅ　係合突起　　　　　　２３　接続アーム
２３ａ　逆Ｌ字部　　　　　　２３ｂ　アーム本体
２４　ブラケット　　　　　　２４ａ　ブラケット本体
２４ｂ　接続片　　　　　　　２４ｃ　連結ボルト
２５　支持軸　　　　　　　　３０　ストッパー
３１　シリンダ部　　　　　　３１ａ　シリンダ
３１ｂ　空気導入口　　　　　３２　ピストンロッド
３２ａ　ピストン　　　　　　３３　移動阻止円盤
４０　センサーブラケット　　４１　接続片
４２　ブラケット本体　　　　４２ａ　連結軸
４３　被検出片　　　　　　　４３ａ　被検出小片
５０　紙通過センサー　　　　６０　見当装置
６１　回転軸　　　　　　　　６２　基端ブロック
６３　筒体　　　　　　　　　６３ａ　傾斜溝
６４　ケーシングブロック　　６４ａ　紙当て面
６５　可動ブロック　　　　　６５ａ　カム
６５ｂ　空気吸引孔　　　　　６６　紙受入れブロック
６７　調節ネジ　　　　　　　１００　印刷機
１０１　給紙装置　　　　　　１０２　給紙テーブル
１０３　バキューム口　　　　１０４　空気噴射ノズル
１１０　印刷機本体　　　　　１１１　ローラ群
１１２　版胴　　　　　　　　１１３　ゴム胴
１１４　圧胴　　　　　　　　１１５　給紙胴
１１６　調節機器　　　　　　１１７　カバー体
１１７ａ　下部カバー体　　　１１７ｂ　後部カバー体
１１８　側壁　　　　　　　　１１８ａ　係止孔
１１８ｂ　当止突起　　　　　１２０　フィーダーボード
１２１　テーブル　　　　　　１２１ａ　検出孔
１２２　ローラ　　　　　　　１２３　ゴムベルト
１２４　フレーム　　　　　　１３０　見当装置
１３１　前当て　　　　　　　１３２　側縁当て
１３３　ブロック　　　　　　１３４　調節ネジ
１４０　ストッパー　　　　　１４１　ステー
１５０　センサー　　　　　　Ｖ　調節ネジ配設空間
Ｐ　枚葉紙　　　　　　　　　Ｐ１　用紙束
【図１】
2004106455.tif 000003
【図２】
2004106455.tif 000004
【図３】
2004106455.tif 000005
【図４】
2004106455.tif 000006
【図５】
2004106455.tif 000007
【図６】
2004106455.tif 000008